(57)【要約】【課題】 流体に接触する部分を合成樹脂製とするとともに、時間が経過しても流体漏れ防止性能が維持される管継手を提供する。【解決手段】　合成樹脂製第１継手部材2の端面に環状の凹部7が設けられるとともに、合成樹脂製第２継手部材3の端面に環状の凸部8が設けられて、合成樹脂製ガスケット4が嵌め入れられた凹部7の開口部に凸部8が嵌まり合っている。管継手1の適正締め付け状態では、第１継手部材2の凹部7内面と第２継手部材3の凸部8外面とがガスケット4を介してほぼ全面で密着するとともに、第１継手部材2の端面の凹部よりも径方向内側の部分2dと第２継手部材3の端面の凸部よりも径方向内側の部分3dとがほぼ全面で密着し、第１継手部材2の端面の凹部よりも径方向外側の部分2eと第２継手部材3の端面の凸部よりも径方向外側の部分3eもほぼ全面で密着する。【選択図】　　図２
2004092915.tif 000002
【特許請求の範囲】
【請求項１】
第１および第２の合成樹脂製管状継手部材と、両継手部材の突き合わせ部分に介在される合成樹脂製ガスケットと、両継手部材を連結するねじ手段とを備えている管継手において、第１継手部材の突き合わせ端面に、ガスケットの全部が嵌め入れられた状態で開口部が残るように環状の凹部が設けられるとともに、第２継手部材の突き合わせ端面に環状の凸部が設けられて、ガスケットが嵌め入れられた凹部の開口部に凸部が嵌まり合っており、管継手の適正締め付け状態では、第１継手部材の凹部内面と第２継手部材の凸部外面とがガスケットを介してほぼ全面で密着するとともに、第１継手部材の突き合わせ端面の凹部よりも径方向内側の部分と第２継手部材の突き合わせ端面の凸部よりも径方向内側の部分とがほぼ全面で密着し、第１継手部材の突き合わせ端面の凹部よりも径方向外側の部分と第２継手部材の突き合わせ端面の凸部よりも径方向外側の部分もほぼ全面で密着することを特徴とする管継手。
【請求項２】
第１および第２の合成樹脂製管状継手部材と、両継手部材を連結するねじ手段とを備えている管継手において、第１継手部材の突き合わせ端面に環状の凹部が設けられるとともに、第２継手部材の突き合わせ端面に環状の凸部が設けられ、管継手の適正締め付け状態では、第１継手部材の凹部内に第２継手部材の凸部が嵌り合って凹部内面と凸部外面とがほぼ全面で密着するとともに、第１継手部材の突き合わせ端面の凹部よりも径方向内側の部分と第２継手部材の突き合わせ端面の凸部よりも径方向内側の部分とがほぼ全面で密着し、第１継手部材の突き合わせ端面の凹部よりも径方向外側の部分と第２継手部材の突き合わせ端面の凸部よりも径方向外側の部分もほぼ全面で密着することを特徴とする管継手。
【請求項３】
第１および第２の合成樹脂製管状継手部材と、両継手部材の突き合わせ部分に介在される合成樹脂製ガスケットと、両継手部材を連結するねじ手段とを備えている管継手において、各継手部材の突き合わせ端面に、継手部材同士が突き合わされた際にガスケットが収納されるガスケット収納部を形成するための環状の凹部がそれぞれ設けられており、管継手の適正締め付け状態では、第１継手部材の凹部内面のほぼ全面がガスケットに密着し、同凹部から露出しているガスケットの面が第２継手部材の凹部内面のほぼ全面に密着するとともに、第１継手部材の突き合わせ端面の凹部よりも径方向内側の部分と第２継手部材の突き合わせ端面の凹部よりも径方向内側の部分とがほぼ全面で密着し、第１継手部材の突き合わせ端面の凹部よりも径方向外側の部分と第２継手部材の突き合わせ端面の凹部よりも径方向外側の部分もほぼ全面で密着することを特徴とする管継手。
【請求項４】
第１継手部材の突き合わせ端面の凹部よりも径方向内側の部分が径方向外側の部分よりも軸方向に突出しており、第２継手部材の突き合わせ端面の凹部よりも径方向内側の部分も径方向外側の部分よりも軸方向に突出していることを特徴とする請求項３の管継手。
【請求項５】
第１継手部材の突き合わせ端面の凹部よりも径方向内側の部分が凹部の底面と面一であり、径方向外側の部分は凹部の底面より軸方向に突出しており、第２継手部材の突き合わせ端面の凹部よりも径方向内側の部分が凹部の底面よりも軸方向に突出し、径方向外側の部分は凹部の底面よりも軸方向に凹んでいることを特徴とする請求項３の管継手。
【請求項６】
第１継手部材の突き合わせ端面の凹部よりも径方向内側の部分が凹部の底面よりさらに凹んでおり、径方向外側の部分は凹部の底面より軸方向に突出しており、第２継手部材の突き合わせ端面の凹部よりも径方向内側の部分が凹部の底面よりも軸方向に突出し、径方向外側の部分は凹部の底面よりもさらに軸方向に凹んでいることを特徴とする請求項３の管継手。
【請求項７】
管継手を手で締め付けた状態において、第１継手部材の突き合わせ端面の凹部よりも径方向内側の部分と第２継手部材の突き合わせ端面の凸部よりも径方向内側の部分との間に、第１の間隙が存在し、第１継手部材の突き合わせ端面の凹部よりも径方向外側の部分と第２継手部材の突き合わせ端面の凸部よりも径方向外側の部分との間に、第１の間隙よりも大きい第２の間隙が存在している請求項１または２の管継手。
【請求項８】
管継手を手で締め付けた状態において、第１継手部材の突き合わせ端面の凹部よりも径方向内側の部分と第２継手部材の突き合わせ端面の凹部よりも径方向内側の部分との間に、第１の間隙が存在し、第１継手部材の突き合わせ端面の凹部よりも径方向外側の部分と第２継手部材の突き合わせ端面の凹部よりも径方向外側の部分との間に、第１の間隙よりも大きい第２の間隙が存在している請求項３から６までの管継手。
【請求項９】
各継手部材の突き合わせ端部に、フランジ部が設けられており、ねじ手段は、いずれか一方の継手部材のフランジ部に先端面が当接する環状のおねじ部材と、他方の継手部材側から嵌め入れられて同継手部材のフランジ部に頂壁が当接しかつおねじ部材にねじ合わされる袋ナットとよりなる請求項１から８までの管継手。
【請求項１０】
おねじ部材と継手部材のフランジ部との間および袋ナットの頂壁と継手部材のフランジ部との間のうちの少なくとも一方に、一方の継手部材を他方の継手部材に向かって付勢する付勢部材が介在されている請求項９の管継手。
【請求項１１】
袋ナットの内径と両継手部材のフランジ部外径との間に環状の間隙が形成されて、この間隙に環状のスペーサが納められており、袋ナットの頂壁とスペーサとの間およびおねじ部材とスペーサとの間のうちの少なくとも一方に、一方の継手部材を他方の継手部材に向かって付勢する付勢部材が介在されている請求項９の管継手。
【請求項１２】
袋ナットの頂壁と継手部材のフランジ部との間に、合成樹脂製のスラストリングが介在されている請求項９の管継手。
【請求項１３】
スラストリングの外径が袋ナットの内径よりも大きくなされており、袋ナット内周に、スラストリングの外周縁部を収める環状の凹所が形成されている請求項１２の管継手。
【発明の詳細な説明】
【技術分野】
【０００１】
　この発明は、管継手に関し、特に合成樹脂製の継手部材同士をねじ手段で連結する管継手に関する。
【背景技術】
【０００２】
　例えば半導体製造用の流体制御装置では、一対の管状継手部材と、両継手部材の突合わせ端面に介在させられる環状ガスケットと、両継手部材を連結するねじ手段とを備えている管継手がよく使用されている。この種の管継手では、管状継手部材およびガスケットが金属製、例えばＳＵＳ３１６Ｌなどのステンレス鋼製とされるのが一般的であった。
【特許文献１】特開平０８−１２８５７４号公報
【特許文献２】特開平０４−１０２７９１号公報
【特許文献３】特開昭５４−１１７９３０号公報
【特許文献４】実願昭５５−１８９８２６号（実開昭５７−１１２１６２号）のマイクロフィルム
【特許文献５】実願昭６０−１９８２６９号（実開昭６２−１０６０９１号）のマイクロフィルム
【特許文献６】特開平０６−２４１３６２号公報
【発明の開示】
【発明が解決しようとする課題】
【０００３】
　上記従来のステンレス鋼製管継手では、半導体製造過程で種々の流体が流されるが、流体の中には酸性フッ化アンモンなどのように金属を腐食させる性質が高いものも含まれており、その改良が要望されている。そこで、ステンレス鋼などの金属に代えて、ＰＦＡなどの合成樹脂で管継手の各部材を形成することが考えられるが、合成樹脂の場合には、金属製のものに比べて、形状の経時変化（応力緩和、コールドフローなど）が大きく、突き合わせ部分での部材間に生じている面圧が徐々に低下し、これによって流体の漏れが起こる懸念がある。
【０００４】
　この発明の目的は、流体に接触する部分を合成樹脂製とするとともに、時間が経過しても流体漏れ防止性能が維持される管継手を提供することにある。
【課題を解決するための手段】
【０００５】
　第１の発明による管継手は、第１および第２の合成樹脂製管状継手部材と、両継手部材の突き合わせ部分に介在される合成樹脂製ガスケットと、両継手部材を連結するねじ手段とを備えている管継手において、第１継手部材の突き合わせ端面に、ガスケットの全部が嵌め入れられた状態で開口部が残るように環状の凹部が設けられるとともに、第２継手部材の突き合わせ端面に環状の凸部が設けられて、ガスケットが嵌め入れられた凹部の開口部に凸部が嵌まり合っており、管継手の適正締め付け状態では、第１継手部材の凹部内面と第２継手部材の凸部外面とがガスケットを介してほぼ全面で密着するとともに、第１継手部材の突き合わせ端面の凹部よりも径方向内側の部分と第２継手部材の突き合わせ端面の凸部よりも径方向内側の部分とがほぼ全面で密着し、第１継手部材の突き合わせ端面の凹部よりも径方向外側の部分と第２継手部材の突き合わせ端面の凸部よりも径方向外側の部分もほぼ全面で密着することを特徴とするものである。
【０００６】
　第２の発明による管継手は、第１および第２の合成樹脂製管状継手部材と、両継手部材を連結するねじ手段とを備えている管継手において、第１継手部材の突き合わせ端面に環状の凹部が設けられるとともに、第２継手部材の突き合わせ端面に環状の凸部が設けられ、管継手の適正締め付け状態では、第１継手部材の凹部内に第２継手部材の凸部が嵌り合って凹部内面と凸部外面とがほぼ全面で密着するとともに、第１継手部材の突き合わせ端面の凹部よりも径方向内側の部分と第２継手部材の突き合わせ端面の凸部よりも径方向内側の部分とがほぼ全面で密着し、第１継手部材の突き合わせ端面の凹部よりも径方向外側の部分と第２継手部材の突き合わせ端面の凸部よりも径方向外側の部分もほぼ全面で密着することを特徴とするものである。
【０００７】
　第２の発明による管継手において、第２継手部材の凸部は、第２継手部材に一体に成形された一体部と、一体部とは別体に成形された別体部とよりなり、管継手の適正締め付け状態では、第２継手部材の凸部一体部と第２継手部材の凸部別体部とが密着するようにしてもよい。
【０００８】
　第３の発明による管継手は、第１および第２の合成樹脂製管状継手部材と、両継手部材の突き合わせ部分に介在される合成樹脂製ガスケットと、両継手部材を連結するねじ手段とを備えている管継手において、各継手部材の突き合わせ端面に、継手部材同士が突き合わされた際にガスケットが収納されるガスケット収納部を形成するための環状の凹部がそれぞれ設けられており、管継手の適正締め付け状態では、第１継手部材の凹部内面のほぼ全面がガスケットに密着し、同凹部から露出しているガスケットの面が第２継手部材の凹部内面のほぼ全面に密着するとともに、第１継手部材の突き合わせ端面の凹部よりも径方向内側の部分と第２継手部材の突き合わせ端面の凹部よりも径方向内側の部分とがほぼ全面で密着し、第１継手部材の突き合わせ端面の凹部よりも径方向外側の部分と第２継手部材の突き合わせ端面の凹部よりも径方向外側の部分もほぼ全面で密着することを特徴とするものである。
【０００９】
　第３の発明による管継手において、第１継手部材の突き合わせ端面の凹部よりも径方向内側の部分が径方向外側の部分よりも軸方向に突出しており、第２継手部材の突き合わせ端面の凹部よりも径方向内側の部分も径方向外側の部分よりも軸方向に突出していることがあり、また、第１継手部材の突き合わせ端面の凹部よりも径方向内側の部分が凹部の底面と面一であり、径方向外側の部分は凹部の底面より軸方向に突出しており、第２継手部材の突き合わせ端面の凹部よりも径方向内側の部分が凹部の底面よりも軸方向に突出し、径方向外側の部分は凹部の底面よりも軸方向に凹んでいることがあり、さらにまた、第１継手部材の突き合わせ端面の凹部よりも径方向内側の部分が凹部の底面よりさらに凹んでおり、径方向外側の部分は凹部の底面より軸方向に突出しており、第２継手部材の突き合わせ端面の凹部よりも径方向内側の部分が凹部の底面よりも軸方向に突出し、径方向外側の部分は凹部の底面よりもさらに軸方向に凹んでいることがある。
【００１０】
　上記各発明の管継手は、管継手を手で締め付けた状態において、第１継手部材の突き合わせ端面の凹部よりも径方向内側の部分と第２継手部材の突き合わせ端面の凸部または凹部よりも径方向内側の部分との間に、第１の間隙が存在し、第１継手部材の突き合わせ端面の凹部よりも径方向外側の部分と第２継手部材の突き合わせ端面の凸部または凹部よりも径方向外側の部分との間に、第１の間隙よりも大きい第２の間隙が存在しているものであることが好ましい。このようにすると、適正締め付け状態では、面圧が大の部分、面圧が中の部分および面圧が小の部分が存在し、使用期間の前半は、面圧大の部分における圧力が低下するが、この期間中には、面圧が中の部分の圧力低下が抑えられることから、所定レベル以上の流体漏れ防止性能を長く保持することができる。
【００１１】
　第１の間隙は、０．１ｍｍ以上０．４ｍｍ以下が好ましく、０．１５ｍｍ以上０．３ｍｍ以下がより好ましい。第２の間隙は、０．２ｍｍ以上０．６ｍｍ以下が好ましく、０．２５ｍｍ以上０．５ｍｍ以下がより好ましい。また。第２の間隙と第１の間隙との差は、０．０５ｍｍ以上０．３ｍｍ以下が好ましく、０．１ｍｍ以上０．２ｍｍ以下がより好ましい。
【００１２】
　上記各発明の管継手において、各継手部材の突き合わせ端部に、フランジ部が設けられており、ねじ手段は、いずれか一方の継手部材のフランジ部に先端面が当接する環状のおねじ部材と、他方の継手部材側から嵌め入れられて同継手部材のフランジ部に頂壁が当接しかつおねじ部材にねじ合わされる袋ナットとよりなることがある。おねじ部材および袋ナットは、継手部材内を流れる流体に接触することはなく、金属製であってもよく、合成樹脂製であってももちろんよい。おねじ部材に対して袋ナットを締め付けていくことにより、各継手部材のフランジ部が軸方向内向きに押され、これにより、両継手部材同士が流体密に結合される。
【００１３】
　また、上記各発明の管継手において、おねじ部材と継手部材のフランジ部との間および袋ナットの頂壁と継手部材のフランジ部との間のうちの少なくとも一方に、一方の継手部材を他方の継手部材に向かって付勢する付勢部材が介在されていることがあり、また、袋ナットの内径と両継手部材のフランジ部外径との間に環状の間隙が形成されて、この間隙に環状のスペーサが納められており、袋ナットの頂壁とスペーサとの間およびおねじ部材とスペーサとの間のうちの少なくとも一方に、一方の継手部材を他方の継手部材に向かって付勢する付勢部材が介在されていることがある。このようにすると、合成樹脂製の継手部材およびガスケットが経時変化（応力緩和、コールドフローなど）したとしても、一方の継手部材が他方の継手部材に向かって常に付勢されていることから、流体漏れ防止性能への影響が大きい面圧を維持することができ、より確実に流体漏れ防止性能が確保される。
【００１４】
　さらにまた、袋ナットの頂壁と継手部材のフランジ部との間に、合成樹脂製のスラストリングが介在されていることが好ましい。このようにすると、袋ナットを回転させて締め付けていった場合に、スラストリングが袋ナットおよび継手部材に接触した状態でこれらに対してすべることになり、袋ナットと継手部材とが共回りすることが防止される。
【００１５】
　この場合に、スラストリングの外径が袋ナットの内径よりも大きくなされており、袋ナット内周に、スラストリングの外周縁部を収める環状の凹所が形成されていることがある。
【００１６】
　スラストリングの厚みは、ガスケットと同等かまたはこれより小さくなされることが好ましく、応力緩和の点からできるだけ薄いことが好ましい。
【００１７】
　各継手部材を構成する合成樹脂としては、例えばＰＦＡのようなフッ素樹脂が例示され、ガスケットを構成する合成樹脂としては、例えばＰＴＦＥのようなフッ素樹脂が例示されるが、これ以外のＦＥＰ、ＰＣＴＦＥ、ＥＴＦＥなどのフッ素樹脂でもよく、また、その他の合成樹脂であってもよく、継手部材とガスケットとが同じ材料であってももちろんよい。また、スラストリングを構成する合成樹脂としては、例えば、ガスケットと同様の材質とされるが、これよりすべり摩擦係数の小さい（すべりやすい）合成樹脂としてもよい。
【発明の効果】
【００１８】
　第１から第３までの発明の管継手によると、流体に接触する部分が合成樹脂製でありながら、時間が経過しても流体漏れ防止性能が維持される管継手が得られる。第２の発明の管継手は、さらに部品数を少なくできるという利点を有しており、第３の発明の管継手は、管継手分解時にガスケットを外しやすいという利点を有している。
【発明を実施するための最良の形態】
【００１９】
　この発明の実施の形態を、以下図面を参照して説明する。
【００２０】
　図１および図２は、第１の発明の管継手の実施形態を示している。図１に示すように、管継手(1)は、合成樹脂製第１管状継手部材(2)および合成樹脂製第２管状継手部材(3)と、両継手部材(2)(3)の突き合わせ部分に介在される断面が方形で環状の合成樹脂製ガスケット(4)と、第２継手部材(3)に嵌められた環状のおねじ部材(5)と、第１継手部材(2)側から嵌められておねじ部材(5)にねじ合わされた袋ナット(6)とよりなる。
【００２１】
　各継手部材(2)(3)は、互いに等しく全長にわたって一定の内径を有しており、突き合わせ部に近い方の厚肉部(2a)(3a)と、突き合わせ部から遠い方の薄肉部(2b)(3b)と、厚肉部(2a)(3a)の突き合わせ端部に設けられたフランジ部(2c)(3c)とよりなる。
【００２２】
　第１継手部材(2)の突き合わせ端面の径方向中間部には、断面が方形で環状の凹部(7)が設けられている。第２継手部材(3)の突き合わせ端面の径方向中間部には、断面が方形で環状の凸部(8)が設けられている。
【００２３】
　おねじ部材(5)および袋ナット(6)は、金属製であり、おねじ部材(5)の突き合わせ部と反対側の端部には、六角柱状のフランジ部(5a)が設けられており、袋ナットの突き合わせ部と反対側の端部には、孔あき円板状の頂壁(6a)が設けられている。おねじ部材(5)の内径は、第２継手部材(3)の厚肉部(3a)の外径にほぼ等しく、袋ナット(6)の頂壁(6a)の内径は、第１継手部材(2)の厚肉部(2a)の外径にほぼ等しくなされている。おねじ部材(5)に対して袋ナット(6)を締め付けていくと、おねじ部材(5)が第２継手部材(3)のフランジ部(3c)を軸方向内向きに押し、袋ナット(6)が第１継手部材(2)のフランジ部(2c)を軸方向内向きに押し、これにより、両継手部材(2)(3)同士がガスケット(4)を介して密接させられる。
【００２４】
　第１継手部材(2)の凹部(7)、第２継手部材(3)の凸部(8)およびガスケット(4)の内径は、それぞれほぼ等しく、また、第１継手部材(2)の凹部(7)、第２継手部材(3)の凸部(8)およびガスケット(4)の外径も、それぞれほぼ等しくなされている。凹部(7)の凹み量は、凸部(8)の突出量よりも大きくなされており、ガスケット(4)の厚みは、凹部(7)の凹み量よりも小さくなされている。そして、凹部(7)の凹み量は、凸部(8)の突出量とガスケット(4)の厚みとの和よりも若干小さくなされている。
【００２５】
　図２（ａ）は、袋ナット(6)をおねじ部材(5)に手で締め付けた状態を示し、図２（ｂ）は、この状態からさらにスパナ等を使用して適正に締め付けた状態を示している。
【００２６】
　図２（ａ）に示すように、管継手(1)の手締め状態では、第１継手部材(2)の凹部(7)内にガスケット(4)の全部が嵌め入れられており、第２継手部材(3)の凸部(8)がこのガスケット(4)を凹部(7)の底面に押圧している。そして、第１継手部材(2)の突き合わせ端面の凹部(7)よりも径方向内側の部分(2d)と第２継手部材(3)の突き合わせ端面の凸部(8)よりも径方向内側の部分(3d)との間には、第１の間隙(G1)が存在し、第１継手部材(2)の突き合わせ端面の凹部(7)よりも径方向外側の部分(2e)と第２継手部材(3)の突き合わせ端面の凸部(8)よりも径方向外側の部分(3e)との間には、第１の間隙(G1)よりも大きい第２の間隙(G2)が存在している。具体的な寸法の一例を挙げると、第１継手部材(2)の凹部(7)の径方向内側部分(2d)と径方向外側部分(2e)とは面一であり、凹部(7)の凹み量が１．５ｍｍ、第２継手部材(3)の凸部(8)の径方向内側部分(3d)は、径方向外側部分(3e)よりも０．２ｍｍ軸方向に突出しており、凸部(8)の突出量は、径方向内側部分(3d)を基準にして０．８ｍｍ、ガスケット(4)の厚みが１ｍｍ、第１の間隙(G1)が０．３ｍｍ、第２の間隙(G2)が０．５ｍｍである。
【００２７】
　図２（ｂ）に示すように、管継手(1)の適正締め付け状態では、第１継手部材(2)の凹部(7)内にガスケット(4)および第２継手部材(3)の凸部(8)全部が嵌り込んでおり、第１継手部材(2)の凹部(7)内面と第２継手部材(3)の凸部(8)外面とがガスケット(4)を介してほぼ全面で密着するとともに、第１継手部材(2)の突き合わせ端面の凹部(7)よりも径方向内側の部分(2d)と第２継手部材(3)の突き合わせ端面の凸部(8)よりも径方向内側の部分(3d)とがほぼ全面で密着し、第１継手部材(2)の突き合わせ端面の凹部(7)よりも径方向外側の部分(2e)と第２継手部材(3)の突き合わせ端面の凸部(8)よりも径方向外側の部分(3e)もほぼ全面で密着している。
【００２８】
　図３および図４は、第２の発明の管継手の実施形態を示している。図３に示すように、管継手(11)は、合成樹脂製第１管状継手部材(12)および合成樹脂製第２管状継手部材(13)と、第２継手部材(13)に嵌められた環状のおねじ部材(5)と、第１継手部材(12)側から嵌められておねじ部材(5)にねじ合わされた袋ナット(6)とよりなる。
【００２９】
　各継手部材(12)(13)は、互いに等しく全長にわたって一定の内径を有しており、突き合わせ部に近い方の厚肉部(12a)(13a)と、突き合わせ部から遠い方の薄肉部(12b)(13b)と、厚肉部(12a)(13a)の突き合わせ端部に設けられたフランジ部(12c)(13c)とよりなる。
【００３０】
　第１継手部材(12)の突き合わせ端面の径方向中間部には、断面が方形で環状の凹部(17)が設けられている。第２継手部材(13)の突き合わせ端面の径方向中間部には、断面が方形で環状の凸部(18)が設けられている。
【００３１】
　おねじ部材(5)および袋ナット(6)は、金属製であり、おねじ部材(5)の突き合わせ部と反対側の端部には、六角柱状のフランジ部(5a)が設けられており、袋ナットの突き合わせ部と反対側の端部には、孔あき円板状の頂壁(6a)が設けられている。おねじ部材(5)の内径は、第２継手部材(13)の厚肉部(13a)の外径にほぼ等しく、袋ナット(6)の頂壁(6a)の内径は、第１継手部材(12)の厚肉部(12a)の外径にほぼ等しくなされている。おねじ部材(5)に対して袋ナット(6)を締め付けていくと、おねじ部材(5)が第２継手部材(13)のフランジ部(13c)を軸方向内向きに押し、袋ナット(6)が第１継手部材(12)のフランジ部(12c)を軸方向内向きに押し、これにより、両継手部材(12)(13)同士は、凹部(17)と凸部(18)とが嵌り合った状態で密接させられる。
【００３２】
　第１継手部材(12)の凹部(17)および第２継手部材(13)の凸部(18)の内径は、それぞれほぼ等しく、また、第１継手部材(12)の凹部(17)および第２継手部材(13)の凸部(18)の外径も、それぞれほぼ等しくなされている。凹部(17)の凹み量は、凸部(18)の突出量よりも若干小さくなされている。
【００３３】
　図４は、袋ナット(6)をおねじ部材(5)に手で締め付けた状態を示している。同図に示すように、管継手(11)の手締め状態では、第１継手部材(12)の凹部(17)内に第２継手部材(13)の凸部(18)が嵌め入れられて、凸部(18)先端面が凹部(17)の底面を押圧している。そして、第１継手部材(12)の突き合わせ端面の凹部(17)よりも径方向内側の部分(12d)と第２継手部材(13)の突き合わせ端面の凸部(18)よりも径方向内側の部分(13d)との間には、第１の間隙(G1)が存在し、第１継手部材(12)の突き合わせ端面の凹部(17)よりも径方向外側の部分(12e)と第２継手部材(13)の突き合わせ端面の凸部(18)よりも径方向外側の部分(13e)との間には、第１の間隙(G1)よりも大きい第２の間隙(G2)が存在している。具体的な寸法の一例を挙げると、第１継手部材(12)の凹部(17)の径方向内側部分(12d)と径方向外側部分(12e)とは面一であり、凹部(17)の凹み量が１．５ｍｍ、第２継手部材(3)の凸部(18)の径方向内側部分(13d)は、径方向外側部分(13e)よりも０．２ｍｍ軸方向に突出しており、凸部(18)の突出量は、径方向内側部分(13d)を基準にして１．８ｍｍ、第１の間隙(G1)が０．３ｍｍ、第２の間隙(G2)が０．５ｍｍである。
【００３４】
　図４の状態からさらに締め付けた適正締め付け状態では、第１継手部材(12)の凹部(17)内に第２継手部材(13)の凸部(18)全部が嵌り込んでおり、第１継手部材(12)の凹部(17)内面と第２継手部材(13)の凸部(18)外面とがほぼ全面で密着するとともに、第１継手部材(12)の突き合わせ端面の凹部(17)よりも径方向内側の部分(12d)と第２継手部材(13)の突き合わせ端面の凸部(18)よりも径方向内側の部分(13d)とがほぼ全面で密着し、第１継手部材(12)の突き合わせ端面の凹部(17)よりも径方向外側の部分(12e)と第２継手部材(13)の突き合わせ端面の凸部(18)よりも径方向外側の部分(13e)もほぼ全面で密着している。
【００３５】
　図５は、第３の発明の管継手の第１実施形態を示している。図５に示すように、管継手(21)は、合成樹脂製第１管状継手部材(22)および合成樹脂製第２管状継手部材(23)と、両継手部材(22)(23)の突き合わせ部分に介在される断面が方形で環状の合成樹脂製ガスケット(24)と、第２継手部材(23)に嵌められた環状のおねじ部材(5)と、第１継手部材(22)側から嵌められておねじ部材(5)にねじ合わされた袋ナット(6)とよりなる。
【００３６】
　各継手部材(22)(23)は、互いに等しく全長にわたって一定の内径を有しており、突き合わせ部に近い方の厚肉部(22a)(23a)と、突き合わせ部から遠い方の薄肉部（図示略）と、厚肉部(22a)(23a)の突き合わせ端部に設けられたフランジ部(22c)(23c)とよりなる。
【００３７】
　第１継手部材(22)の突き合わせ端面の径方向中間部には、断面が方形で環状の凹部(27)が設けられている。第２継手部材(23)の突き合わせ端面の径方向中間部にも、断面が方形で環状の凹部(28)が設けられている。第１継手部材(22)の突き合わせ端面の凹部(27)よりも径方向内側の部分(22d)が径方向外側の部分(22e)よりもわずかに軸方向に突出しており、第２継手部材(23)の突き合わせ端面の凹部(28)よりも径方向内側の部分(23d)も径方向外側の部分(23e)よりもわずかに軸方向に突出している。両凹部(27)(28)によって、継手部材(22)(23)同士が突き合わされた際にガスケット(24)が収納されるガスケット収納部(26)が形成されている。
【００３８】
　おねじ部材(5)および袋ナット(6)は、金属製であり、おねじ部材(5)の突き合わせ部と反対側の端部には、六角柱状のフランジ部(5a)が設けられており、袋ナットの突き合わせ部と反対側の端部には、孔あき円板状の頂壁(6a)が設けられている。おねじ部材(5)の内径は、第２継手部材(23)の厚肉部(23a)の外径にほぼ等しく、袋ナット(6)の頂壁(6a)の内径は、第１継手部材(22)の厚肉部(22a)の外径にほぼ等しくなされている。おねじ部材(5)に対して袋ナット(6)を締め付けていくと、おねじ部材(5)が第２継手部材(23)のフランジ部(23c)を軸方向内向きに押し、袋ナット(6)が第１継手部材(22)のフランジ部(22c)を軸方向内向きに押し、これにより、両継手部材(22)(23)同士がガスケット(24)を介して密接させられる。
【００３９】
　第１継手部材(22)の凹部(27)、第２継手部材(23)の凹部(28)およびガスケット(24)の内径は、それぞれほぼ等しく、また、第１継手部材(22)の凹部(27)、第２継手部材(23)の凹部(28)およびガスケット(24)の外径も、それぞれほぼ等しくなされている。両凹部(27)(28)の継手部材(22)(23)の径方向内側の部分(22d)(23d)を基準とした凹み量の和は、ガスケット(24)の厚みよりも若干小さくなされている。
【００４０】
　図５は、袋ナット(6)をおねじ部材(5)に手で締め付けた状態を示しており、この管継手(21)の手締め状態では、第１継手部材(22)の凹部(27)内にガスケット(24)の約半部が嵌め入れられ、第２継手部材(23)の凹部(28)内にガスケット(24)の残りの約半部が嵌め入れられており、第１継手部材(22)の凹部(27)底面と第２継手部材(23)の凹部(28)底面とによってガスケット(24)が押圧されている。そして、第１継手部材(22)の突き合わせ端面の凹部(27)よりも径方向内側の部分(22d)と第２継手部材(23)の突き合わせ端面の凹部(28)よりも径方向内側の部分(23d)との間には、第１の間隙(G1)が存在し、第１継手部材(22)の突き合わせ端面の凹部(27)よりも径方向外側の部分(22e)と第２継手部材(23)の突き合わせ端面の凹部(28)よりも径方向外側の部分(23e)との間には、第１の間隙(G1)よりも大きい第２の間隙(G2)が存在している。具体的な寸法の一例を挙げると、各継手部材(22)(23)の凹部(27)(28)の径方向内側部分(22d)(23d)は、径方向外側部分(22e)(23e)よりも０．１ｍｍ軸方向に突出しており、凹部(27)(28)の凹み量は、径方向内側部分(22d)(23d)を基準にして１．１５ｍｍ、ガスケット(4)の厚みが２ｍｍ、第１の間隙(G1)が０．３ｍｍ、第２の間隙(G2)が０．５ｍｍである。
【００４１】
　図５の状態からさらに締め付けていくと、まず、第１継手部材(22)の突き合わせ端面の凹部(27)よりも径方向内側の部分(22d)と第２継手部材(23)の突き合わせ端面の凹部(28)よりも径方向内側の部分(23d)とがほぼ全面で密着し、さらに締め付けて管継手(21)の適正締め付け状態にすると、第１継手部材(22)の凹部(27)および第２継手部材(23)の凹部(28)によって形成されたガスケット収納凹部(26)内にガスケット(24)全部が嵌り込み、第１継手部材(22)の凹部(27)内面のほぼ全面がガスケット(24)に密着し、第１継手部材(22)の凹部(27)から露出しているガスケット(24)の面が第２継手部材(23)の凹部(28)内面のほぼ全面に密着するとともに、第１継手部材(22)の突き合わせ端面の凹部(27)よりも径方向外側の部分(22e)と第２継手部材(23)の突き合わせ端面の凹部(28)よりも径方向外側の部分(23e)もほぼ全面で密着する。
【００４２】
　図６は、第３の発明の管継手の第２実施形態を示している。図６に示すように、管継手(31)は、合成樹脂製第１管状継手部材(32)および合成樹脂製第２管状継手部材(33)と、両継手部材(32)(33)の突き合わせ部分に介在される断面が方形で環状の合成樹脂製ガスケット(34)と、第２継手部材(33)に嵌められた環状のおねじ部材(5)と、第１継手部材(32)側から嵌められておねじ部材(5)にねじ合わされた袋ナット(6)とよりなる。
【００４３】
　各継手部材(32)(33)は、互いに等しく全長にわたって一定の内径を有しており、突き合わせ部に近い方の厚肉部(32a)(33a)と、突き合わせ部から遠い方の薄肉部（図示略）と、厚肉部(32a)(33a)の突き合わせ端部に設けられたフランジ部(32c)(33c)とよりなる。
【００４４】
　第１継手部材(32)の突き合わせ端面の径方向中間部には、断面が方形で環状の凹部(37)が設けられている。第２継手部材(33)の突き合わせ端面の径方向中間部にも、断面が方形で環状の凹部(38)が設けられている。第１継手部材(32)の突き合わせ端面の凹部(37)よりも径方向内側の部分(32d)が凹部(37)の底面と面一であり、径方向外側の部分(32e)は凹部(37)の底面より軸方向に突出しており、第２継手部材(33)の突き合わせ端面の凹部(38)よりも径方向内側の部分(33d)が凹部(38)の底面よりも軸方向に突出し、径方向外側の部分(33e)は凹部(38)の底面よりも軸方向に凹んでいる。両凹部(37)(38)、第１継手部材(32)の径方向外側の部分(32e)および第２継手部材(33)の径方向内側の部分(33d)によって、継手部材(32)(33)同士が突き合わされた際にガスケット(34)が収納されるガスケット収納部(36)が形成されている。
【００４５】
　おねじ部材(5)および袋ナット(6)は、金属製であり、おねじ部材(5)の突き合わせ部と反対側の端部には、六角柱状のフランジ部(5a)が設けられており、袋ナットの突き合わせ部と反対側の端部には、孔あき円板状の頂壁(6a)が設けられている。おねじ部材(5)の内径は、第２継手部材(33)の厚肉部(33a)の外径にほぼ等しく、袋ナット(6)の頂壁(6a)の内径は、第１継手部材(32)の厚肉部(32a)の外径にほぼ等しくなされている。おねじ部材(5)に対して袋ナット(6)を締め付けていくと、おねじ部材(5)が第２継手部材(33)のフランジ部(33c)を軸方向内向きに押し、袋ナット(6)が第１継手部材(32)のフランジ部(32c)を軸方向内向きに押し、これにより、両継手部材(32)(33)同士がガスケット(34)を介して密接させられる。
【００４６】
　第１継手部材(32)の凹部(37)、第２継手部材(33)の凹部(38)およびガスケット(34)の内径は、それぞれほぼ等しく、また、第１継手部材(32)の凹部(37)、第２継手部材(33)の凹部(38)およびガスケット(34)の外径も、それぞれほぼ等しくなされている。第１継手部材(32)の凹部(37)の凹み量は、ガスケット(34)の厚みよりも若干大きく、第２継手部材(33)の凹部(38)の凹み量は、ガスケット(34)の厚みよりも若干小さくなされている。
【００４７】
　図６は、袋ナット(6)をおねじ部材(5)に手で締め付けた状態を示しており、この管継手(31)の手締め状態では、ガスケット収納部(36)内にガスケット(24)の全部が嵌め入れられ、第１継手部材(32)の凹部(37)底面と第２継手部材(33)の凹部(38)底面とによってガスケット(34)が押圧されている。そして、第１継手部材(32)の突き合わせ端面の凹部(37)よりも径方向内側の部分(32d)と第２継手部材(33)の突き合わせ端面の凹部(38)よりも径方向内側の部分(33d)との間には、第１の間隙(G1)が存在し、第１継手部材(32)の突き合わせ端面の凹部(37)よりも径方向外側の部分(32e)と第２継手部材(33)の突き合わせ端面の凹部(38)よりも径方向外側の部分(33e)との間には、第１の間隙(G1)よりも大きい第２の間隙(G2)が存在している。具体的な寸法の一例を挙げると、第１継手部材(32)の径方向外側の部分(32e)の突出量は、凹部(37)の底面を基準として、１．５ｍｍ、第２継手部材(33)の径方向内側の部分(33d)の突出量は、凹部(38)の底面を基準として０．７ｍｍ、第２継手部材(33)の径方向外側の部分(33e)の凹み量は、凹部(38)の底面を基準として１ｍｍ、ガスケット(34)の厚みが１ｍｍ、第１の間隙(G1)が０．３ｍｍ、第２の間隙(G2)が０．５ｍｍである。
【００４８】
　図６の状態からさらに締め付けていくと、まず、第１継手部材(32)の突き合わせ端面の凹部(37)よりも径方向内側の部分(32d)と第２継手部材(33)の突き合わせ端面の凹部(38)よりも径方向内側の部分(33d)とがほぼ全面で密着し、さらに締め付けて管継手(31)の適正締め付け状態にすると、両凹部(37)(38)、第１継手部材(32)の径方向外側の部分(32e)および第２継手部材(33)の径方向内側の部分(33d)によってガスケット収納凹部(36)内にガスケット(34)全部が嵌り込み、ガスケット収納凹部(36)内面とガスケット(34)の外面とがほぼ全面で密着し、第１継手部材(32)の突き合わせ端面の凹部(37)よりも径方向外側の部分(32e)と第２継手部材(33)の突き合わせ端面の凹部(38)よりも径方向外側の部分(33e)もほぼ全面で密着する。
【００４９】
　図７は、第３の発明の管継手の第３実施形態を示している。図７に示すように、管継手(41)は、合成樹脂製第１管状継手部材(42)および合成樹脂製第２管状継手部材(43)と、両継手部材(42)(43)の突き合わせ部分に介在される断面が方形で環状の合成樹脂製ガスケット(44)と、第２継手部材(43)に嵌められた環状のおねじ部材(5)と、第１継手部材(32)側から嵌められておねじ部材(5)にねじ合わされた袋ナット(6)とよりなる。
【００５０】
　各継手部材(42)(43)は、互いに等しく全長にわたって一定の内径を有しており、突き合わせ部に近い方の厚肉部(42a)(43a)と、突き合わせ部から遠い方の薄肉部（図示略）と、厚肉部(42a)(43a)の突き合わせ端部に設けられたフランジ部(42c)(43c)とよりなる。
【００５１】
　第１継手部材(42)の突き合わせ端面の径方向中間部には、断面が方形で環状の凹部(47)が設けられている。第２継手部材(43)の突き合わせ端面の径方向中間部にも、断面が方形で環状の凹部(48)が設けられている。第１継手部材(42)の突き合わせ端面の凹部(47)よりも径方向内側の部分(42d)が凹部(37)の底面よりさらに凹んでおり、径方向外側の部分(42e)は凹部(47)の底面より軸方向に突出している。第２継手部材(43)の突き合わせ端面の凹部(48)よりも径方向内側の部分(43d)が凹部(48)の底面よりも軸方向に突出し、径方向外側の部分(43e)は凹部(48)の底面よりも軸方向に凹んでいる。両凹部(47)(48)、第１継手部材(42)の径方向外側の部分(42e)および第２継手部材(43)の径方向内側の部分(43d)によって、継手部材(42)(43)同士が突き合わされた際にガスケット(44)が収納されるガスケット収納部(46)が形成されている。
【００５２】
　おねじ部材(5)および袋ナット(6)は、金属製であり、おねじ部材(5)の突き合わせ部と反対側の端部には、六角柱状のフランジ部(5a)が設けられており、袋ナットの突き合わせ部と反対側の端部には、孔あき円板状の頂壁(6a)が設けられている。おねじ部材(5)の内径は、第２継手部材(43)の厚肉部(43a)の外径にほぼ等しく、袋ナット(6)の頂壁(6a)の内径は、第１継手部材(42)の厚肉部(42a)の外径にほぼ等しくなされている。おねじ部材(5)に対して袋ナット(6)を締め付けていくと、おねじ部材(5)が第２継手部材(43)のフランジ部(43c)を軸方向内向きに押し、袋ナット(6)が第１継手部材(42)のフランジ部(42c)を軸方向内向きに押し、これにより、両継手部材(42)(43)同士がガスケット(44)を介して密接させられる。
【００５３】
　第１継手部材(42)の凹部(47)、第２継手部材(43)の凹部(48)およびガスケット(44)の内径は、それぞれほぼ等しく、また、第１継手部材(42)の凹部(47)、第２継手部材(43)の凹部(48)およびガスケット(44)の外径も、それぞれほぼ等しくなされている。第１継手部材(42)の凹部(47)の凹み量は、ガスケット(44)の厚みよりも若干大きく、第２継手部材(43)の凹部(48)の凹み量も、ガスケット(44)の厚みよりも若干大きくなされている。
【００５４】
　図７は、袋ナット(6)をおねじ部材(5)に手で締め付けた状態を示しており、この管継手(41)の手締め状態では、ガスケット収納部(46)内にガスケット(44)の全部が嵌め入れられ、第１継手部材(42)の凹部(47)底面と第２継手部材(43)の凹部(48)底面とによってガスケット(44)が押圧されている。そして、第１継手部材(42)の突き合わせ端面の凹部(47)よりも径方向内側の部分(42d)と第２継手部材(43)の突き合わせ端面の凹部(48)よりも径方向内側の部分(43d)との間には、第１の間隙(G1)が存在し、第１継手部材(42)の突き合わせ端面の凹部(47)よりも径方向外側の部分(42e)と第２継手部材(43)の突き合わせ端面の凹部(48)よりも径方向外側の部分(43e)との間には、第１の間隙(G1)よりも大きい第２の間隙(G2)が存在している。具体的な寸法の一例を挙げると、第１継手部材(42)の径方向外側の部分(42e)の突出量は、凹部(47)の底面を基準として、１．５ｍｍ、第１継手部材(42)の径方向内側の部分(42d)の凹み量は、凹部(47)の底面を基準として、０．８ｍｍ、第２継手部材(43)の径方向内側の部分(43d)の突出量は、凹部(48)の底面を基準として１．５ｍｍ、第２継手部材(43)の径方向外側の部分(43e)の凹み量は、凹部(48)の底面を基準として、１．０ｍｍ、ガスケット(44)の厚みが１ｍｍ、第１の間隙(G1)が０．３ｍｍ、第２の間隙(G2)が０．５ｍｍである。
【００５５】
　図７の状態からさらに締め付けていくと、まず、第１継手部材(42)の突き合わせ端面の凹部(47)よりも径方向内側の部分(42d)と第２継手部材(43)の突き合わせ端面の凹部(48)よりも径方向内側の部分(43d)とがほぼ全面で密着し、さらに締め付けて管継手(41)の適正締め付け状態にすると、両凹部(47)(48)、第１継手部材(42)の径方向外側の部分(42e)および第２継手部材(43)の径方向内側の部分(43d)によってガスケット収納凹部(46)内にガスケット(44)全部が嵌り込み、ガスケット収納凹部(46)内面とガスケット(44)の外面とがほぼ全面で密着し、第１継手部材(42)の突き合わせ端面の凹部(47)よりも径方向外側の部分(42e)と第２継手部材(43)の突き合わせ端面の凹部(48)よりも径方向外側の部分(43e)もほぼ全面で密着する。
【００５６】
　図８は、第１の発明の管継手の他の実施形態を示している。図８に示すように、管継手(51)は、合成樹脂製第１管状継手部材(52)および合成樹脂製第２管状継手部材(53)と、両継手部材(52)(53)の突き合わせ部分に介在される断面が方形で環状の合成樹脂製ガスケット(54)と、第２継手部材(53)に嵌められた環状のおねじ部材(55)と、第１継手部材(52)側から嵌められておねじ部材(55)にねじ合わされた袋ナット(56)とよりなる。
【００５７】
　各継手部材(52)(53)は、互いに等しく全長にわたって一定の内径を有しており、突き合わせ部に近い方の厚肉部(52a)(53a)と、突き合わせ部から遠い方の薄肉部(52b)(53b)と、厚肉部(52a)(53a)の突き合わせ端部に設けられたフランジ部(52c)(53c)とよりなる。
【００５８】
　第１継手部材(52)の突き合わせ端面の径方向中間部には、断面が方形で環状の凹部(57)が設けられている。第２継手部材(53)の突き合わせ端面の径方向中間部には、断面が方形で環状の凸部(58)が設けられている。
【００５９】
　おねじ部材(55)および袋ナット(56)は、金属製であり、おねじ部材(55)の突き合わせ部と反対側の端部には、六角柱状のフランジ部(55a)が設けられており、袋ナット(56)の突き合わせ部と反対側の端部には、孔あき円板状の頂壁(56a)が設けられている。おねじ部材(55)の内径は、第２継手部材(53)の厚肉部(53a)の外径にほぼ等しく、袋ナット(56)の頂壁(56a)の内径は、第１継手部材(52)の厚肉部(52a)の外径にほぼ等しくなされている。
【００６０】
　この実施形態では、おねじ部材(55)の外径および袋ナット(56)の内径は、両継手部材(52)(53)のフランジ部(52c)(53c)の外径よりも大きくなされており、袋ナット(56)の内径と両継手部材(52)(53)のフランジ部(52c)(53c)の外径との間には、間隙が形成されている。この間隙に、環状のスペーサ(59)が納められている。そして、袋ナット(56)の頂壁と第１継手部材(52)のフランジ部(52c)およびスペーサ(59)との間には、第１継手部材(52)のフランジ部(52c)を第２継手部材(53)に向かって付勢する付勢部材としての環状の皿ばね(50)およびスプリングワッシャ(60)がスプリングワッシャ(60)をフランジ部(52c)およびスペーサ(59)側にして設けられている。スペーサ(59)の軸方向の長さは、両継手部材(52)(53)のフランジ部(52c)(53c)の軸方向の長さの和よりも若干小さくなされている。
【００６１】
　おねじ部材(55)に対して袋ナット(56)を締め付けていくと、おねじ部材(55)が第２継手部材(53)のフランジ部(53c)を軸方向内向きに押し、袋ナット(56)が第１継手部材(52)のフランジ部(52c)を皿ばね(50)およびスプリングワッシャ(60)を介して軸方向内向きに押し、これにより、両継手部材(52)(53)同士がガスケット(54)を介して密接させられる。
【００６２】
　第１継手部材(52)の凹部(57)、第２継手部材(53)の凸部(58)およびガスケット(54)の内径は、それぞれほぼ等しく、また、第１継手部材(52)の凹部(57)、第２継手部材(53)の凸部(58)およびガスケット(54)の外径も、それぞれほぼ等しくなされている。凹部(57)の凹み量は、凸部(58)の突出量よりも大きくなされており、ガスケット(54)の厚みは、凹部(57)の凹み量よりも小さくなされている。そして、凹部(57)の凹み量は、凸部(58)の突出量とガスケット(54)の厚みとの和よりも若干小さくなされている。
【００６３】
　図８は、袋ナット(56)をおねじ部材(55)に手で締め付けた状態を示している。この管継手(51)は、スペーサ(59)および付勢部材(50)(60)を除く構成は、図１および図２に示した実施形態と同じとされている。従って、詳細は省略するが、管継手(51)の手締め状態では、第１継手部材(52)の凹部(57)内にガスケット(54)の全部が嵌め入れられており、第２継手部材(53)の凸部(58)がこのガスケット(54)を凹部(57)の底面に押圧し、第１継手部材(52)の突き合わせ端面の凹部(57)よりも径方向内側の部分と第２継手部材(53)の突き合わせ端面の凸部(58)よりも径方向内側の部分との間には、第１の間隙(G1)が存在し、第１継手部材(52)の突き合わせ端面の凹部(57)よりも径方向外側の部分と第２継手部材(53)の突き合わせ端面の凸部(58)よりも径方向外側の部分との間には、第１の間隙(G1)よりも大きい第２の間隙(G2)が存在している。そして、管継手(51)の適正締め付け状態では、第１継手部材(52)の凹部(57)内にガスケット(54)および第２継手部材(53)の凸部(58)全部が嵌り込んでおり、第１継手部材(52)の凹部(57)内面と第２継手部材(53)の凸部(58)外面とがガスケット(54)を介してほぼ全面で密着するとともに、第１継手部材(52)の突き合わせ端面の凹部(57)よりも径方向内側の部分と第２継手部材(53)の突き合わせ端面の凸部(58)よりも径方向内側の部分とがほぼ全面で密着し、第１継手部材(52)の突き合わせ端面の凹部(57)よりも径方向外側の部分と第２継手部材(53)の突き合わせ端面の凸部(58)よりも径方向外側の部分もほぼ全面で密着するようになされている。
【００６４】
　この実施形態の管継手(51)によると、合成樹脂製継手部材(52)(53)およびガスケット(54)が経時変化したとしても、第１継手部材(52)が第２継手部材(53)に向かって常に皿ばね(50)によって付勢されていることから、流体漏れ防止性能への影響が大きい面圧を維持することができる。
【００６５】
　図９は、第１の発明の管継手のさらに他の実施形態を示している。図９に示すように、管継手(61)は、合成樹脂製第１管状継手部材(62)および合成樹脂製第２管状継手部材(63)と、両継手部材(62)(63)の突き合わせ部分に介在される断面が方形で環状の合成樹脂製ガスケット(64)と、第２継手部材(63)に嵌められた環状のおねじ部材(55)と、第１継手部材(62)側から嵌められておねじ部材(55)にねじ合わされた袋ナット(56)とよりなる。
【００６６】
　各継手部材(62)(63)は、互いに等しく全長にわたって一定の内径を有しており、突き合わせ部に近い方の厚肉部(62a)(63a)と、突き合わせ部から遠い方の薄肉部(62b)(63b)と、厚肉部(62a)(63a)の突き合わせ端部に設けられたフランジ部(62c)(63c)とよりなる。
【００６７】
　第１継手部材(62)の突き合わせ端面の径方向中間部には、断面が方形で環状の凹部(67)が設けられている。第２継手部材(63)の突き合わせ端面の径方向中間部には、断面が方形で環状の凸部(68)が設けられている。
【００６８】
　おねじ部材(55)および袋ナット(56)は、金属製であり、おねじ部材(55)の突き合わせ部と反対側の端部には、六角柱状のフランジ部(55a)が設けられており、袋ナット(56)の突き合わせ部と反対側の端部には、孔あき円板状の頂壁(56a)が設けられている。おねじ部材(55)の内径は、第２継手部材(63)の厚肉部(63a)の外径にほぼ等しく、袋ナット(66)の頂壁(66a)の内径は、第１継手部材(62)の厚肉部(62a)の外径にほぼ等しくなされている。
【００６９】
　この実施形態では、おねじ部材(55)の外径および袋ナット(56)の内径は、両継手部材(62)(63)のフランジ部(62c)(63c)の外径よりも大きく、袋ナット(56)の内径と両継手部材(62)(63)のフランジ部(62c)(63c)の外径との間には、間隙が形成されている。この間隙に、環状のスペーサ(69)が納められている。そして、袋ナット(56)の頂壁と第１継手部材(62)のフランジ部(62c)およびスペーサ(69)との間には、第１継手部材(62)のフランジ部(62c)を第２継手部材(63)に向かって付勢する付勢部材としての環状の皿ばね(70)およびスプリングワッシャ(71)がスプリングワッシャ(71)をフランジ部(62c)およびスペーサ(69)側にして設けられている。また、おねじ部材(55)と第２継手部材(63)のフランジ部(63c)およびスペーサ(69)との間にも、第２継手部材(63)のフランジ部(63c)を第１継手部材(62)に向かって付勢する付勢部材としての環状の皿ばね(72)およびスプリングワッシャ(73)がスプリングワッシャ(73)をフランジ部(63c)およびスペーサ(69)側にして設けられている。スペーサ(69)の軸方向の長さは、両継手部材(62)(63)のフランジ部(62c)(63c)の軸方向の長さの和よりも若干小さくなされている。
【００７０】
　おねじ部材(55)に対して袋ナット(56)を締め付けていくと、おねじ部材(55)が第２継手部材(63)のフランジ部(63c)を皿ばね(70)およびスプリングワッシャ(71)を介して軸方向内向きに押し、袋ナット(56)が第１継手部材(62)のフランジ部(62c)を皿ばね(72)およびスプリングワッシャ(73)を介して軸方向内向きに押し、これにより、両継手部材(62)(63)同士がガスケット(64)を介して密接させられる。
【００７１】
　第１継手部材(62)の凹部(67)、第２継手部材(63)の凸部(68)およびガスケット(64)の内径は、それぞれほぼ等しく、また、第１継手部材(62)の凹部(67)、第２継手部材(63)の凸部(68)およびガスケット(64)の外径も、それぞれほぼ等しくなされている。凹部(67)の凹み量は、凸部(68)の突出量よりも大きくなされており、ガスケット(64)の厚みは、凹部(67)の凹み量よりも小さくなされている。そして、凹部(67)の凹み量は、凸部(68)の突出量とガスケット(64)の厚みとの和よりも若干小さくなされている。
【００７２】
　図９は、袋ナット(56)をおねじ部材(55)に手で締め付けた状態を示している。この管継手(51)は、スペーサ(69)および付勢部材(70)(71)(72)(73)を除く構成は、図１および図２に示した実施形態と同じとされている。従って、詳細は省略するが、管継手(61)の手締め状態では、第１継手部材(62)の凹部(67)内にガスケット(64)の全部が嵌め入れられて、第２継手部材(63)の凸部(68)がこのガスケット(64)を凹部(67)の底面に押圧しており、第１継手部材(62)の突き合わせ端面の凹部(67)よりも径方向内側の部分(62d)と第２継手部材(63)の突き合わせ端面の凸部(68)よりも径方向内側の部分(63d)との間には、第１の間隙(G1)が存在し、第１継手部材(62)の突き合わせ端面の凹部(67)よりも径方向外側の部分(62e)と第２継手部材(63)の突き合わせ端面の凸部(68)よりも径方向外側の部分(63e)との間には、第１の間隙(G1)よりも大きい第２の間隙(G2)が存在している。そして、管継手(61)の適正締め付け状態では、第１継手部材(62)の凹部(67)内にガスケット(64)および第２継手部材(63)の凸部(68)全部が嵌り込んでおり、第１継手部材(62)の凹部(67)内面と第２継手部材(63)の凸部(68)外面とがガスケット(64)を介してほぼ全面で密着するとともに、第１継手部材(62)の突き合わせ端面の凹部(67)よりも径方向内側の部分(62d)と第２継手部材(63)の突き合わせ端面の凸部(68)よりも径方向内側の部分(63d)とがほぼ全面で密着し、第１継手部材(62)の突き合わせ端面の凹部(67)よりも径方向外側の部分(62e)と第２継手部材(63)の突き合わせ端面の凸部(68)よりも径方向外側の部分(63e)もほぼ全面で密着している。
【００７３】
　この実施形態の管継手(61)によると、合成樹脂製継手部材(62)(63)およびガスケット(64)が経時変化したとしても、第１継手部材(62)が第２継手部材(63)に向かって常に皿ばね(70)によって付勢されるとともに、第２継手部材(63)が第１継手部材(62)に向かって常に皿ばね(72)によって付勢されていることから、流体漏れ防止性能への影響が大きい面圧を維持することができる。
【００７４】
　なお、図８および図９は、第１の発明による管継手の他の実施形態として説明したが、これらの実施形態が図１および図２のものと異なっている構成を第２の発明による管継手の実施形態および第３の発明による管継手の各実施形態に対して適用することもできる。また、スペーサ(59)(69)については、省略することが可能であり、例えば、図１に示した実施形態において、皿ばねを付加する構成とすることもできる。スペーサ(59)(69)を使用することにより、皿ばね(50)(70)(72)の径を大きくすることができる。また、付勢部材としては、皿ばね(50)(70)(72)およびスプリングワッシャ(60)(71)(73)に代えて、コイルばねを使用してももちろんよい。
【００７５】
　図１０は、第１の発明の管継手のさらに他の実施形態を示している。図１０に示すように、この管継手(1)は、合成樹脂製第１管状継手部材(2)および合成樹脂製第２管状継手部材(3)と、両継手部材(2)(3)の突き合わせ部分に介在される断面が方形で環状の合成樹脂製ガスケット(4)と、第２継手部材(3)に嵌められた環状のおねじ部材(5)と、第１継手部材(2)側から嵌められておねじ部材(5)にねじ合わされた袋ナット(6)と、袋ナット(6)の頂壁(6a)内面と第１継手部材(2)のフランジ部(2c)との間に介在された合成樹脂製のスラストリング(9)とよりなる。
【００７６】
　この実施形態と第１実施形態との相違点は、スラストリング(9)の有無だけであり、第１実施形態と同じ構成のものには、同じ符号を付してその説明を省略する。なお、図１０は、図２（ａ）に対応する図であり、袋ナット(6)をおねじ部材(5)に手で締め付けた状態を示している。
【００７７】
　スラストリング(9)は、ガスケット(4)と同材質またはこれよりもすべり摩擦係数の小さい材質によって形成され、その厚みは、ガスケット(4)と同等かまたはこれより小さく、例えば、ガスケット(4)厚みの約半分となされている。また、スラストリング(9)の内径は、袋ナット(6)の頂壁(6a)の孔径にほぼ等しく、外径は、第１継手部材(2)のフランジ部(2c)の外径にほぼ等しくなされている。スラストリング(9)は、円環状であるが、完全な円環でないＣ状であってもよい。
【００７８】
　この実施形態の管継手(1)によると、袋ナット(6)を回転させて締め付けていった場合に、スラストリング(9)が袋ナット(6)の頂壁(6a)内面および第１継手部材(2)のフランジ部(2c)側面に接触した状態でこれらに対してすべることになり、袋ナット(6)と第１継手部材(2)とが共回りすることが防止される。同様のスラストリング(9)は、おねじ部材(5)の先端面と第２継手部材(3)との間にも設けることができる。
【００７９】
　図１１は、図１０に示した管継手(1)の他の実施形態を示している。この管継手(1)は、合成樹脂製第１管状継手部材(2)および合成樹脂製第２管状継手部材(3)と、両継手部材(2)(3)の突き合わせ部分に介在される断面が方形で環状の合成樹脂製ガスケット(4)と、第２継手部材(3)に嵌められた環状のおねじ部材(5)と、第１継手部材(2)側から嵌められておねじ部材(5)にねじ合わされた袋ナット(6)と、袋ナット(6)の頂壁(6a)内面と第１継手部材(2)のフランジ部(2c)との間に介在された合成樹脂製のスラストリング(10)とよりなる。
【００８０】
　この実施形態と第１実施形態との相違点は、スラストリング(10)の有無および袋ナット(6)への追加加工の有無だけであり、第１実施形態と同じ構成のものには、同じ符号を付してその説明を省略する。なお、図１１は、図２（ａ）に対応する図であり、袋ナット(6)をおねじ部材(5)に手で締め付けた状態を示している。
【００８１】
　スラストリング(10)は、ガスケット(4)と同材質またはこれよりもすべり摩擦係数の小さい材質によって形成され、その厚みは、ガスケット(4)と同等かまたはこれより小さく、例えば、ガスケット(4)厚みの約半分となされている。また、スラストリング(10)の内径は、袋ナット(6)の頂壁(6a)の孔径にほぼ等しく、外径は、第１継手部材(2)のフランジ部(2c)の外径より大きくなされている。スラストリング(10)は、円環状であるが、完全な円環でないＣ状であってもよい。
【００８２】
　スラストリング(10)の外径が第１継手部材(2)のフランジ部(2c)の外径より大きくなされているのにともなって、袋ナット(6)の内周には、スラストリング(10)の外周縁部を収めるために、頂壁(6a)の内面に沿う環状の凹所(6b)が形成されている。環状の凹所(6b)の外径は、スラストリング(10)の外径にほぼ等しくなされている。スラストリング(10)は、合成樹脂製であることから若干の弾性を有しており、袋ナット(6)の頂壁(6a)の内面に沿わせてその外周縁部をこの凹所(6b)に嵌め入れておくことができる。したがって、スラストリング(10)の入れ忘れが防止されるとともに、袋ナット(6)を外した場合のスラストリング(10)の脱落も防止される。
【００８３】
　この実施形態の管継手(1)によると、袋ナット(6)を回転させて締め付けていった場合に、スラストリング(10)が袋ナット(6)の頂壁(6a)内面および第１継手部材(2)のフランジ部(2c)側面に接触した状態でこれらに対してすべることになり、袋ナット(6)と第１継手部材(2)とが共回りすることが防止される。おねじ部材(5)の先端面と第２継手部材(3)との間には、図１０に示したものと同様のスラストリング(9)を設けることができる。
【００８４】
　なお、図１０および図１１は、第１の発明による管継手の他の実施形態として説明したが、これらの実施形態が図１および図２のものと異なっている構成を第２の発明による管継手の実施形態および第３の発明による管継手の各実施形態に対して適用することもできる。
【図面の簡単な説明】
【００８５】
【図１】第１の発明による管継手の実施形態を示す縦断面図である。
【図２】同要部の拡大縦断面図であり、（ａ）は手で締め付けた状態、（ｂ）は適正締め付け状態をそれぞれ示している。
【図３】第２の発明による管継手の実施形態を示す縦断面図である。
【図４】同要部の拡大縦断面図である。
【図５】第３の発明による管継手の第１実施形態を示す縦断面図である。
【図６】第３の発明による管継手の第２実施形態を示す縦断面図である。
【図７】第３の発明による管継手の実施形態を示す縦断面図である。
【図８】第１の発明による管継手の他の実施形態を示す縦断面図である。
【図９】第１の発明による管継手のさらに他の実施形態を示す縦断面図である。
【図１０】第１の発明による管継手のさらに他の実施形態を示す縦断面図である。
【図１１】第１の発明による管継手のさらに他の実施形態を示す縦断面図である。
【符号の説明】
【００８６】
(1)(11)(21)(31)(41)(51)(61) 　　　　管継手
(2)(12)(22)(32)(42)(52)(62) 　　　　第１継手部材
(2c)(12c)(22c)(32c)(42c)(52c)(62c)　フランジ部
(2d)(12d)(22d)(32d)(42d)(52d)(62d)　径方向内側部分
(2e)(12e)(22e)(32e)(42e)(52e)(62e)　径方向外側部分
(3)(13)(23)(33)(43)(53)(63)　　　　 第２継手部材
(3c)(13c)(23c)(33c)(43c)(53c)(63c)　フランジ部
(3d)(13d)(23d)(33d)(43d)(53d)(63d)　径方向内側部分
(3e)(13e)(23e)(33e)(43e)(53e)(63e)　径方向外側部分
(4)(24)(34)(44)(54)(64)　　　　　　 ガスケット
(5)(55)　　　　　　　　　　　　　　 おねじ部材
(6)(56)　　　　　　　　　　　　　　 袋ナット
(6a)(56a)　　　　　　　　　　　　　 頂壁
(6b)　　　　　　　　　　　　　　　　環状凹所
(7)(17)(27)(37)(47)(57)(67)　　　　 凹部
(8)(18)(58)(68)　　　　　　　　　　 凸部
(9)(10)　　　　　　　　　　　　　　 スラストリング
(26)(36)(46)　　　　　　　　　　　　ガスケット収納部
(28)(38)(48)　　　　　　　　　　　　凹部
(50)(70)(72)　　　　　　　　　　　　皿ばね
(60)(71)(73)　　　　　　　　　　　　スプリングワッシャ
(G1)　　　　　　　　　　　　　　　　第１の間隙
(G2)　　　　　　　　　　　　　　　　第２の間隙
【図１】
2004092915.tif 000003
【図２】
2004092915.tif 000004
【図３】
2004092915.tif 000005
【図４】
2004092915.tif 000006
【図５】
2004092915.tif 000007
【図６】
2004092915.tif 000008
【図７】
2004092915.tif 000009
【図８】
2004092915.tif 000010
【図９】
2004092915.tif 000011
【図１０】
2004092915.tif 000012
【図１１】
2004092915.tif 000013